(57)【特許請求の範囲】
【請求項１】
少なくとも１枚のテープ心線と、該テープ心線の両側に配置された２本のテンションメンバと、該２本のテンションメンバを結ぶ方向と直交する方向に前記テープ心線を挟んで配置された２枚の介在テープと、前記テンションメンバと前記テープ心線との間にそれぞれ配置され、前記介在テープの端部に接触する２本の介在紐と、前記２本のテンションメンバ、前記２枚の介在テープおよび前記２本の介在紐を一括被覆したケーブル外被と、該ケーブル外被表面に形成され、前記２本のテンションメンバを結ぶ方向と直交する方向に前記介在紐を挟んで形成された２対のノッチとを備えた光ファイバケーブルであって、
前記介在紐が、隣接する前記テンションメンバに向けて前記介在テープの前記端部から突出した突出部を有し、前記２本のテンションメンバを結ぶ方向と直交する方向で前記ノッチの先端を結んだ線上には、前記テープ心線、前記テンションメンバ、前記介在テープは存在せず、前記ケーブル外被および前記突出部のみが設けられる、光ファイバケーブル。
【請求項２】
前記２本のテンションメンバを結ぶ方向と直交する方向において、前記テープ心線を配置した箇所の前記ケーブル外被の幅が、前記テープ心線を配置しない箇所の前記ケーブル外被の幅よりも大きい、請求項１に記載の光ファイバケーブル。
【請求項３】
前記テープ心線と前記介在紐との間には前記ケーブル外被が充填されない内部空間が形成されている、請求項１または２に記載の光ファイバケーブル。
【請求項４】
前記介在紐には吸水剤が付与されている、請求項１から３のいずれか１項に記載の光ファイバケーブル。
【発明の詳細な説明】
【技術分野】
【０００１】
本発明は、光ファイバケーブルに関し、詳細には、複数本の光ファイバ心線をケーブル外被で被覆する光ファイバケーブルに関する。
【背景技術】
【０００２】
インターネット等の情報通信の普及による通信の高速化や情報量の増大に加え、双方向通信と大容量通信に対応するために、光ネットワークの構築が進展している。この光ネットワークでは、通信事業者と各家庭とを光ファイバで直接結び、高速通信サービスを提供するＦＴＴＨ（Ｆｉｂｅｒ  Ｔｏ  Ｔｈｅ  Ｈｏｍｅ）が開始されている。このため、光ファイバケーブルを解体して複数端末に分配する配線工事の需要が増えている。
【０００３】
ところで、光ファイバ心線がケーブル外被に埋没していた場合には、上記した光ファイバケーブルの解体時に光ファイバ心線を取り出し難い。このため、例えば、特許文献１には、ケーブル外被と光ファイバ心線との間に介在物を配置し、ケーブル外被に光ファイバ心線が貼り付かないようにした技術が開示されている。また、特許文献２には、さらに、介在テープで光ファイバ心線を挟み、ケーブル外被に光ファイバ心線が埋没しにくいようにした技術が開示されている。
【先行技術文献】
【特許文献】
【０００４】
【特許文献１】特開２００６−２５１７７０号公報
【特許文献２】特開２０１４−１３７４８０号公報
【発明の概要】
【発明が解決しようとする課題】
【０００５】
しかしながら、特許文献１の技術では、光ファイバ心線が部分的にケーブル外被に密着しているため、押出時のケーブル外被からの圧力によって光ファイバ心線が損傷しやすくなり、また、光ファイバ心線が介在物に接触していない面はケーブル外被と接触するため、光ファイバ心線がケーブル外被に埋没する可能性がある。特許文献２の技術によれば、ケーブル外被と光ファイバ心線が接触することは無くなるが、専用工具を使えば問題なく解体できるものの、斜め刃ニッパー等の一般工具では、介在テープを避けてケーブル外被を切断しなければならず、光ファイバケーブルの解体が難しいという問題がある。また、一般工具で解体を試みた場合、一般工具が介在テープに触れると、内部の光ファイバ心線を押して光ファイバ心線が損傷しやすくなるという問題がある。
【０００６】
本発明は、上述のような実情に鑑みてなされたもので、光ファイバ心線を損傷させることなく、斜め刃ニッパー等の一般工具で容易に光ファイバケーブルを解体できる光ファイバケーブルを提供することを目的とする。
【課題を解決するための手段】
【０００７】
本発明の一態様に係る光ファイバケーブルは、少なくとも１枚のテープ心線と、該テープ心線の両側に配置された２本のテンションメンバと、該２本のテンションメンバを結ぶ方向と直交する方向に前記テープ心線を挟んで配置された２枚の介在テープと、前記テンションメンバと前記テープ心線との間にそれぞれ配置され、前記介在テープの端部に接触する２本の介在紐と、前記２本のテンションメンバ、前記２枚の介在テープおよび前記２本の介在紐を一括被覆したケーブル外被と、該ケーブル外被表面に形成され、前記２本のテンションメンバを結ぶ方向と直交する方向に前記介在紐を挟んで形成された２対のノッチとを備えた光ファイバケーブルであって、前記介在紐が、隣接する前記テンションメンバに向けて前記介在テープの前記端部から突出した突出部を有し、前記２本のテンションメンバを結ぶ方向と直交する方向で前記ノッチの先端を結んだ線上には、前記テープ心線、前記テンションメンバ、前記介在テープは存在せず、前記ケーブル外被および前記突出部のみが設けられる。
【発明の効果】
【０００８】
上記によれば、光ファイバ心線を損傷させることなく、斜め刃ニッパー等の一般工具でケーブル外被および介在紐を切断し、容易に光ファイバケーブルを解体することができる。
【図面の簡単な説明】
【０００９】
【図１】本発明の第１実施形態による光ファイバケーブルの一例を示す図である。
【図２】間欠テープ心線の構造の一例を示す図である。
【図３】第１実施形態の光ファイバケーブルから光ファイバ心線を取り出すときの説明図であり、ケーブルを斜め刃ニッパーでケーブル長手方向に切断する図である。
【図４】第１実施形態の光ファイバケーブルから光ファイバ心線を取り出すときの説明図であり、ケーブルを斜め刃ニッパーでケーブル長手方向に直交する方向に切断する図である。
【図５】（Ａ）は図３の切断状態を説明する図、（Ｂ）は図４の切断状態を説明する図であり、（Ｃ）は光ファイバ心線を取り出す前の状態を説明する図である。
【図６】第２実施形態による光ファイバケーブルの一例を示す図である。
【図７】第３実施形態による光ファイバケーブルの一例を示す図である。
【発明を実施するための形態】
【００１０】
［本発明の実施形態の説明］
最初に本発明の実施形態の内容を列記して説明する。
本発明の一態様に係る光ファイバケーブルは、（１）少なくとも１枚のテープ心線と、該テープ心線の両側に配置された２本のテンションメンバと、該２本のテンションメンバを結ぶ方向と直交する方向に前記テープ心線を挟んで配置された２枚の介在テープと、前記テンションメンバと前記テープ心線との間にそれぞれ配置され、前記介在テープの端部に接触する２本の介在紐と、前記２本のテンションメンバ、前記２枚の介在テープおよび前記２本の介在紐を一括被覆したケーブル外被と、該ケーブル外被表面に形成され、前記２本のテンションメンバを結ぶ方向と直交する方向に前記介在紐を挟んで形成された２対のノッチとを備えた光ファイバケーブルであって、前記介在紐が、隣接する前記テンションメンバに向けて前記介在テープの前記端部から突出した突出部を有し、前記２本のテンションメンバを結ぶ方向と直交する方向で前記ノッチの先端を結んだ線上には、前記テープ心線、前記テンションメンバ、前記介在テープは存在せず、前記ケーブル外被および前記突出部のみが設けられる。このように、ノッチの先端を結ぶ線上には、介在テープではなく、ケーブル外被と介在紐の突出部だけが設けられているので、光ファイバ心線を損傷させることなく、斜め刃ニッパー等の一般工具でケーブル外被および介在紐を切断し、容易に光ファイバケーブルを解体できる。
【００１１】
（２）前記２本のテンションメンバを結ぶ方向と直交する方向において、前記テープ心線を配置した箇所の前記ケーブル外被の幅が、前記テープ心線を配置しない箇所の前記ケーブル外被の幅よりも大きい。ノッチを境に段差ができるので、斜め刃ニッパー等の一般工具で光ファイバケーブルをその長手方向に沿って解体する際に、斜め刃ニッパーの刃先をノッチに沿って容易に滑らせることができ、テープ心線を配置しない箇所のケーブル外被を速やかに引き離すことができる。
（３）前記テープ心線と前記介在紐との間には前記ケーブル外被が充填されない内部空間が形成されている。ケーブル外被からの圧力による曲げ力がテープ心線に直接作用しないため、このケーブル外被からの圧力による光ファイバ心線の損傷を防止できる。
（４）前記介在紐には吸水剤が付与されている。介在紐を吸水層として機能させれば、水が浸み込んだ際、テープ心線への止水が可能になる。
【００１２】
［本発明の実施形態の詳細］
以下、添付図面を参照しながら、本発明による光ファイバケーブルの好適な実施の形態について説明する。
図１は、本発明の第１実施形態による光ファイバケーブルの一例を示す図である。また、図２は、間欠テープ心線の構造の一例を示す図である。なお、以下の光ファイバケーブル１は、支持線を備えない構造について説明するが、支持線を備えた自己支持型の構造であってもよい。
【００１３】
図１に示すように、光ファイバケーブル１は、例えば２本のテンションメンバ２２と、２枚の介在テープ２４と、２本の介在紐２６とを一括被覆したケーブル外被３０を有する。ケーブル外被３０は、オレフィン系樹脂（例えば、低密度ポリエチレンなど）等の熱可塑性樹脂で形成され、例えば、４心の間欠テープ心線１０を２枚ずつ３段に重ねて２４（４×２×３）心としたものが収容されている。なお、ここではテープ心線として間欠テープ心線を例に説明するが、通常の（間欠でない）テープ心線であってもよい。
【００１４】
間欠テープ心線とは、複数本の光ファイバ心線が平行一列に配列され、隣り合う光ファイバ心線同士を連結部と非連結部により間欠的に連結してなるものである。具体的には、図２（Ａ）は間欠テープ心線を閉じた状態を、図２（Ｂ）は間欠テープ心線を配列方向に開いた状態をそれぞれ示しており、間欠テープ心線１０は、４本の光ファイバ心線１１〜１４が平行一列に配列され（４心間欠テープ心線ともいう）、隣り合う光ファイバ心線同士が連結部１５ａと非連結部１５ｂにより間欠的に連結されている。
【００１５】
この間欠テープ心線に収容される光ファイバ心線には、標準外径１２５μｍのガラスファイバに被覆外径２５０μｍ前後の被覆を施した光ファイバ素線と称されるもの、また、その外側にさらに着色被覆を施したものであってもよく、光ファイバ心線の収容数も任意である。なお、間欠テープ心線は、１心毎に連結部と非連結部を設けなくてもよく、例えば２心を一体化した心線同士を連結部と非連結部で間欠的に連結してもよい。
【００１６】
図１に示すように、テンションメンバ２２は、間欠テープ心線１０の両側に２本配置されている。テンションメンバ２２は、抗張力体とも呼ばれ、引張り及び圧縮に対する耐力を有する線材が用いられる。この線材としては、例えば、外径１．０ｍｍ程度の鋼線やＦＲＰ（Ｆｉｂｅｒ  Ｒｅｉｎｆｏｒｃｅｄ  Ｐｌａｓｔｉｃｓ）などが用いられ、光ファイバケーブル１の長手方向に沿って延びている。テンションメンバ２２の外周には、テンションメンバ２２とケーブル外被３０とを接着させる接着層が塗布されている。
【００１７】
介在テープ２４は、２本のテンションメンバ２２を結ぶ方向と直交する方向に２枚配置され、間欠テープ心線１０を挟んで設けられている。介在テープ２４は、例えば０．１ｍｍ以下の厚みで形成された例えばポリエチレンテレフタレート（ＰＥＴ）製のテープ状部材であり、介在テープの端部２４ａと介在紐２６とが接触可能な幅で形成され、光ファイバケーブル１の長手方向に沿って延びている。
【００１８】
介在紐２６は、隣接するテンションメンバ２２と間欠テープ心線１０との間にそれぞれ配置され、光ファイバケーブル１の長手方向に沿って延びている。介在紐２６の外周面は介在テープの端部２４ａの内面と接触しており、この接触部分でケーブル外被３０の進入を防ぐことができる。このため、間欠テープ心線１０はケーブル外被３０とは非接触の状態にあり、介在テープ２４や介在紐２６により、ケーブル外被３０の押出時に、その内部の間欠テープ心線１０を保護できる。なお、介在紐２６は、例えば、ポリアミド、ＰＥＴやポリプロピレン等の繊維状のプラスチック素材で形成されるが、介在紐２６に吸水剤（例えば吸水パウダ）を付与してもよい。介在紐を吸水層として機能させれば、水が浸み込んだ際に、間欠テープ心線への止水が可能になる。
【００１９】
ケーブル外被３０は、その断面外形が、例えば、長径が１０ｍｍ程度、短径が４ｍｍ程度の矩形状で形成され（短径平面型ともいう）、２本の介在紐２６をそれぞれ挟んだ位置に、２対の切り裂きノッチ３５が設けられている。なお、切り裂きノッチ３５が本発明のノッチに相当する。
【００２０】
切り裂きノッチ３５は断面Ｖ字状に形成され、そのＶ字の二等分線上に位置する先端が介在紐２６に向けて形成されている。詳しくは、介在紐２６は、介在テープの端部２４ａから隣接のテンションメンバ２２に向けて突出した突出部２６ａを有しており、介在紐２６を挟んで向かい合う１対の切り裂きノッチ３５の先端同士を結んだ線上には、ケーブル外被３０および突出部２６ａのみが設けられている。
【００２１】
図３〜図５は、第１実施形態の光ファイバケーブルからテープ心線を取り出すときの説明図である。
まず、図３に示すように、光ファイバケーブル１を斜め刃ニッパーＮでケーブル長手方向に切断する。具体的には、作業者が斜め刃ニッパーＮの把持部Ｎ２を持ち、切り裂きノッチ３５の位置付近で、刃部Ｎ１の刃先をケーブル長手方向に沿って配置する。図１で説明した介在紐２６を挟んで向かい合う１対の切り裂きノッチ３５を刃部Ｎ１で掴むと、図５（Ａ）に示すように、切り裂きノッチ３５の先端から介在紐２６に到達する切れ目４０が入る。
【００２２】
もう一方の切り裂きノッチ３５の位置付近でも同様に、向かい合う１対の切り裂きノッチ３５を刃部Ｎ１で掴むと、図５（Ａ）に示すように、介在紐２６を分断する切れ目４０が入る。
これら切断作業をケーブル長手方向に沿って２，３回行うと、テンションメンバ２２および介在紐２６の突出部２６ａの一部を含む断片３１，３２を、間欠テープ心線１０等を含む断片３３から引き離すことができる。
【００２３】
次いで、図４に示すように、光ファイバケーブル１を斜め刃ニッパーＮでケーブル長手方向に直交する方向に切断する。こうすることにより、断片３１，３２が引き剥がされ、図５（Ｂ）に示すように、切れ目４０で分断された介在紐２６の突出部２６ａが現れる。
【００２４】
そして、この介在紐２６を摘まんで取り除けば、図５（Ｃ）に示すように、間欠テープ心線１０が断片３３の両脇から露出するので、断片３３や介在テープ２４を取り除くと、間欠テープ心線１０を取り出すことができる。
このように、切り裂きノッチ３５の先端を結ぶ線上には、介在テープ２４ではなく、ケーブル外被３０と介在紐の突出部２６ａだけが設けられているので、光ファイバ心線を損傷させることなく、斜め刃ニッパー等の一般工具でケーブル外被および介在紐を切断し、容易に光ファイバケーブルを解体できる。
【００２５】
なお、本実施形態では、光ファイバケーブルを斜め刃ニッパーでケーブル長手方向に切断した後に、斜め刃ニッパーでケーブル長手方向に直交する方向に切断したが、ケーブル長手方向に直交する方向に切断した後に、ケーブル長手方向に切断してもよい。
また、斜め刃ニッパーで切断する例を挙げて説明したが、刃やレールを備えた専用工具で光ファイバケーブルを解体してもよい。
【００２６】
図６は、第２実施形態による光ファイバケーブルの一例を示す図である。第２実施形態では、ケーブル外被の形状が第１実施形態と異なってはいるが、間欠テープ心線１０、テンションメンバ２２、介在テープ２４、介在紐２６は第１実施形態と同じであるので、異なる点を中心に説明する。
第２実施形態のケーブル外被３０は、第１実施形態と同様に短径平面型であるが、２本のテンションメンバ２２を結ぶ方向と直交する方向において、間欠テープ心線１０を配置した箇所のケーブル外被３０の幅が、その両側に配置された間欠テープ心線１０を配置しない箇所のケーブル外被３０の幅よりも大きくされている。
【００２７】
第２実施形態の光ファイバケーブルにおいて、斜め刃ニッパーで光ファイバケーブルをその長手方向に沿って解体する場合、斜め刃ニッパーを移動する際に、斜め刃ニッパーが幅の大きな断片３３を超え難くなるので、その刃先を切り裂きノッチ３５付近に容易に添えることができ、断片３１，３２を速やかに引き離すことが可能になる。
【００２８】
図７は、第３実施形態による光ファイバケーブルの一例を示す図である。第３実施形態では、間欠テープ心線の周囲に大きな内部空間を形成した点が第１実施形態と異なっている。詳しくは、介在紐２６の外周面は介在テープの端部２４ａの内面と接触しており、間欠テープ心線１０を配置し、２本の介在紐２６と２枚の介在テープ２４とで区画された内側には、ケーブル外被３０が充填されない内部空間Ｓを有している。
【００２９】
このように、間欠テープ心線１０の周囲に内部空間Ｓを形成すれば、ケーブル外被３０からの圧力による曲げ力が間欠テープ心線１０に直接作用しないので、このケーブル外被からの圧力による光ファイバ心線の損傷を、より防止できる。
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【００３０】
１…光ファイバケーブル、１０…間欠テープ心線、１１〜１４…光ファイバ心線、１５ａ…連結部、１５ｂ…非連結部、２２…テンションメンバ、２４…介在テープ、２４ａ…介在テープの端部、２６…介在紐、２６ａ…突出部、３０…ケーブル外被、３１〜３３…断片、３５…切り裂きノッチ、４０…切れ目。
【図１】
0006515751.tif 000002
【図２】
0006515751.tif 000003
【図３】
0006515751.tif 000004
【図４】
0006515751.tif 000005
【図５】
0006515751.tif 000006
【図６】
0006515751.tif 000007
【図７】
0006515751.tif 000008